(57)【要約】【課題】照明機器の設置変更や照明機器の設置現状の把握を容易にする。【解決手段】少なくともチップの識別情報と照明機器の機種情報が記憶された情報記憶チップであるＲＦＩＤタグを照明機器に付設し、この情報記憶チップであるＲＦＩＤタグから情報を読み出すＲＦＩＤ読出装置２−１〜２−４を、照明機器が設置される設置器具であるバトン１−１〜１−４に対応して設け、情報記憶チップであるＲＦＩＤタグから情報を読み出したＲＦＩＤ読出装置を特定することによりバトン等の設置器具を検出し、照明機器の機種情報及びその位置を設置器具に対応付けたレイアウト表示を行う。【選択図】  図２
2007066585.tif 000002
【特許請求の範囲】
【請求項１】
照明機器が設置される設置器具に対応して設けられ、照明機器に付設され少なくともチップの識別情報と照明機器の機種情報が記憶された情報記憶チップから情報を読み出す読出装置と；
読出装置により読出された情報に基づき、設置器具毎に設置されている照明機器の機種情報及び設置器具における照明機器の位置情報とを取得する現状情報取得手段と；
情報を表示するための表示手段と；
現状情報取得手段により取得された情報に基づき、照明機器の機種情報及びその位置を設置器具に対応付けたレイアウト表示を表示手段に行う表示制御手段と；
を具備することを特徴とする照明システム。
【請求項２】
各設置器具について、いずれの機種からなる照明機器がいずれの位置に設置されているかにより構成される照明シーン情報が、照明シーンの識別情報に対応付けられて記憶された照明シーン情報記憶手段を備え；
表示制御手段は、照明シーンの識別情報に基づき照明シーン情報記憶手段から読み出される照明シーン情報に基づき、照明機器の機種情報及びその位置を設置器具に対応付けたレイアウト表示を表示手段に行うことを特徴とする請求項１に記載の照明システム。
【請求項３】
現状情報取得手段により取得される設置器具毎に設置されている照明機器の機種情報及び設置器具における照明機器の位置情報と、照明シーンの識別情報に基づき照明シーン情報記憶手段から読み出される照明シーン情報とを比較して相違を求める比較手段を更に具備し；
表示制御手段は、比較手段により求められた相違に基づき、設置器具毎の該当位置に相違を示す表示を表示手段に行うことを特徴とする請求項２に記載の照明システム。
【請求項４】
照明機器に付設された情報記憶チップの識別情報に対応して、当該照明機器の故障・修理履歴情報が記憶された故障・修理履歴情報記憶手段を備え；
表示制御手段は、表示手段に表示された照明機器を指示する入力に応じて、当該照明機器に対応する識別情報に基づき故障・修理履歴情報記憶手段から故障・修理履歴情報を読み出し、表示を表示手段に行うことを特徴とする請求項１乃至請求項３のいずれか１項に記載の照明システム。
【請求項５】
各設置器具における照明機器が設置され各位置について設置された照明機器に係る設置履歴情報が、照明機器に付設された情報記憶チップの識別情報に対応して記憶された設置履歴情報記憶手段を備え；
表示制御手段は、表示手段に表示された照明機器の設置位置を指示する入力に応じて、当該照明機器に対応する識別情報に基づき設置履歴情報記憶手段から設置履歴情報を読み出し、表示を表示手段に行うことを特徴とする請求項１乃至請求項４のいずれか１項に記載の照明システム。
【請求項６】
情報記憶チップには、情報記憶チップの識別情報と照明機器の機種情報以外に、照明機器の定格情報、メーカー情報、納入年月日情報、故障履歴／修理履歴情報、レンズ種類情報及びフィルタ種類情報について、該当する情報が記憶されていることを特徴とする請求項１乃至請求項５のいずれか１項に記載の照明システム。
【発明の詳細な説明】
【技術分野】
【０００１】
この発明は、劇場、舞台、スタジオなどの照明システムであり、照明機器が複数設置されて天井などから吊される設置器具であるバトンなどにおいて、設置されている照明機器とその位置を的確に知ることを可能とする照明システムに関するものである。
【背景技術】
【０００２】
従来、劇場、舞台、スタジオなどの照明システムにあっては、通常、複数のバトンを備え、各バトンに複数の照明機器を設置（接続）している。しかも、演目やイベント等のそれぞれにおいて、用いる照明機器やその設置位置が異なることが通例である。
【０００３】
このため、従来においては、演目やイベントが異なる毎に、紙などに描かれた照明機器のレイアウト図面に基づき照明機器の設置変更を行っており、煩わしいものであった。また、現状において各バトンに設置されている照明機器の状況を把握しようとすると、照明機器をバトンごと床に下ろして人手により点検する必要があり、多くの時間と人手を要するものであった。
【０００４】
所謂ＩＣタグ等を用いて、調光システムにおける照明機器の累積点灯時間等や器具形名等を知らせるものが特許文献１に記載されている。しかしながら、演目やイベント等に応じて頻繁に照明機器の取り換えが行われることに対応できず、バトン対応に照明機器の機種と設置位置を把握するようなものではない。
【特許文献１】特開２００４−２４７２７３号公報
【発明の開示】
【発明が解決しようとする課題】
【０００５】
本発明は、従来の劇場、舞台、スタジオなどの照明システムでは照明機器の設置変更や照明機器の設置現状の把握に人手と時間を要するという問題点を解決するものであり、その目的は、照明機器の設置変更や照明機器の設置現状の把握が容易であり、演目やイベント等に応じて頻繁に照明機器の取り換えが行われることに対応でき、バトンなどの設置器具対応に照明機器の機種と設置位置を把握することが可能な照明システムを提供することである。
【課題を解決するための手段】
【０００６】
本発明に係る照明システムは、照明機器が設置される設置器具に対応して設けられ、照明機器に付設され少なくともチップの識別情報と照明機器の機種情報が記憶された情報記憶チップから情報を読み出す読出装置と；読出装置により読出された情報に基づき、設置器具毎に設置されている照明機器の機種情報及び設置器具における照明機器の位置情報とを取得する現状情報取得手段と；情報を表示するための表示手段と；現状情報取得手段により取得された情報に基づき、照明機器の機種情報及びその位置を設置器具に対応付けたレイアウト表示を表示手段に行う表示制御手段と；を具備することを特徴とする。
【０００７】
本発明に係る照明システムは、各設置器具について、いずれの機種からなる照明機器がいずれの位置に設置されているかにより構成される照明シーン情報が、照明シーンの識別情報に対応付けられて記憶された照明シーン情報記憶手段を備え；表示制御手段は、照明シーンの識別情報に基づき照明シーン情報記憶手段から読み出される照明シーン情報に基づき、照明機器の機種情報及びその位置を設置器具に対応付けたレイアウト表示を表示手段に行うことを特徴とする。
【０００８】
本発明に係る照明システムは、現状情報取得手段により取得される設置器具毎に設置されている照明機器の機種情報及び設置器具における照明機器の位置情報と、照明シーンの識別情報に基づき照明シーン情報記憶手段から読み出される照明シーン情報とを比較して相違を求める比較手段を更に具備し；表示制御手段は、比較手段により求められた相違に基づき、設置器具毎の該当位置に相違を示す表示を表示手段に行うことを特徴とする。
【０００９】
本発明に係る照明システムは、照明機器に付設された情報記憶チップの識別情報に対応して、当該照明機器の故障・修理履歴情報が記憶された故障・修理履歴情報記憶手段を備え；表示制御手段は、表示手段に表示された照明機器を指示する入力に応じて、当該照明機器に対応する識別情報に基づき故障・修理履歴情報記憶手段から故障・修理履歴情報を読み出し、表示を表示手段に行うことを特徴とする。
【００１０】
本発明に係る照明システムは、各設置器具における照明機器が設置され各位置について設置された照明機器に係る設置履歴情報が、照明機器に付設された情報記憶チップの識別情報に対応して記憶された設置履歴情報記憶手段を備え；表示制御手段は、表示手段に表示された照明機器の設置位置を指示する入力に応じて、当該照明機器に対応する識別情報に基づき設置履歴情報記憶手段から設置履歴情報を読み出し、表示を表示手段に行うことを特徴とする。
【００１１】
本発明に係る照明システムでは、情報記憶チップには、情報記憶チップの識別情報と照明機器の機種情報以外に、照明機器の定格情報、メーカー情報、納入年月日情報、故障履歴／修理履歴情報、レンズ種類情報及びフィルタ種類情報について、該当する情報が記憶されていることを特徴とする。
【発明の効果】
【００１２】
本発明に係る照明システムは、少なくともチップの識別情報と照明機器の機種情報が記憶された情報記憶チップが照明機器に付設されており、この情報記憶チップから情報を読み出す読出装置は、照明機器が設置される設置器具に対応して設けられており、情報記憶チップから情報を読み出した読出装置を特定することによりバトン等の設置器具を検出できる。また、読出装置により読出された情報に基づき、照明機器の機種情報及び設置器具における照明機器の位置情報とを取得して、取得された情報に基づき、照明機器の機種情報及びその位置を設置器具に対応付けたレイアウト表示を行うので、劇場、舞台、スタジオなどの照明システムにおいて、照明機器や設置器具のレイアウトを的確に把握することができ、各種作業効率を向上することができる。また、各設置器具について、いずれの機種からなる照明機器がいずれの位置に設置されているかにより構成される照明シーン情報が、照明シーンの識別情報に対応付けられて記憶された照明シーン情報記憶手段を備えることによって、照明シーンの識別情報対応に照明機器や設置器具のレイアウトを的確に把握することができる。
【００１３】
また、現に設置器具毎に設置されている照明機器の機種情報及び設置器具における照明機器の位置情報と、照明シーンの識別情報に基づき照明シーン情報記憶手段から読み出される照明シーン情報とを比較して相違を求め、相違に基づき、設置器具毎の該当位置に相違を示す表示を行うので、所望する照明シーンの実現に向けて現状との相違が明らかとなり、便利である。
【００１４】
更に、故障・修理履歴情報記憶手段から故障・修理履歴情報を読み出し、表示を行うので、各照明機器の故障・修理履歴を把握可能である。また、設置履歴情報記憶手段から設置履歴情報を読み出し、表示を行うので、設置器具の所要位置に設置された照明機器の設置履歴を把握可能である。
【発明を実施するための最良の形態】
【００１５】
本発明では、照明機器の設置変更や照明機器の設置現状の把握を容易にするという目的を、少なくともチップの識別情報と照明機器の機種情報が記憶された情報記憶チップを照明機器に付設し、この情報記憶チップから情報を読み出す読出装置を、照明機器が設置される設置器具に対応して設け、情報記憶チップから情報を読み出した読出装置を特定することによりバトン等の設置器具を検出し、照明機器の機種情報及びその位置を設置器具に対応付けたレイアウト表示を行うことにより達成したものである。
【００１６】
また本発明では、演目やイベント等に応じて頻繁に照明機器の取り換えが行われることに対応するという目的を、現に設置器具毎に設置されている照明機器の機種情報及び設置器具における照明機器の位置情報と、照明シーンの識別情報に基づき照明シーン情報記憶手段から読み出される照明シーン情報とを比較して相違を求め、相違に基づき、設置器具毎の該当位置に相違を示す表示を行うことにより達成したものである。
【実施例１】
【００１７】
以下添付図面を参照して、本発明に係る照明システムの実施例を説明する。各図において同一の構成要素には同一の符号を付して重複する説明を省略する。本実施例に係る照明システムは、例えば図１に示されるような調光システムを含んで構成される。調光システムには、調光卓１０、調光装置２０−１〜２０−ｎ、調光器モニタ装置３０が備えられ、必要な場合に外部装置４０が調光器モニタ装置３０に接続される。
【００１８】
調光卓１０は、照明負荷についての調光制御を行うための調光信号を例えばＤＭＸ信号により送出するものである。
【００１９】
図１における調光装置２０−１〜２０−ｎは、それぞれ１台以上の調光器を備え、各調光器には、照明負荷が接続されている。この図１においては、調光装置２０−１を代表例として示しており、調光装置２０−１には、調光器２１−１、２２−１、２３−１が備えられており、それぞれに照明負荷５１−１、５２−１、５３−１が接続されている。調光装置２０−１〜２０−ｎは、通常最大で３２台まで接続可能であるが、信号を増幅するリピータを３２台目以降の伝送ラインに介在させることにより３３台以上の接続が可能となるものである。
【００２０】
各調光装置２０−１〜２０−ｎには制御部が備えられており、制御部には、ＤＭＸ信号を取り込むためのＤＭＸ先頭チャネル情報を設定するための設定手段として、例えばＤＭＸ先頭チャネル情報設定スイッチが設けられている。調光装置２０−１を代表例として示している図１においては、調光装置２０−１の制御部２５−１には、ＤＭＸ先頭チャネル情報設定スイッチ２６−１が設けられている。制御部２５−１は、ＤＭＸ先頭チャネル情報設定スイッチ２６−１に設定されたＤＭＸ先頭チャネル情報に対応するチャネルのＤＭＸ信号から、制御部２５−１に接続されている調光器２１−１、２２−１、２３−１の数に対応するチャネルのＤＭＸ信号を波形再生などの中継処理を行って調光器２１−１、２２−１、２３−１が接続されているラインへ通過させるものである。調光器２１−１、２２−１、２３−１はそれぞれ、自らのチャネルに対応する調光信号をラインから取り込み、この調光信号に基づき照明負荷に対する調光制御を行うものである。
【００２１】
また、各調光装置２０−１〜２０−ｎに設けられている制御部は、調光器から状態情報を予め定められた時刻に或いは調光器モニタ装置３０による要求に応じて調光器モニタ装置３０へ送出するものである。例えば、調光装置２０−１に備えられた制御部２５−１は、調光器モニタ装置３０からポーリングによる呼び出しがなされた場合に、ポーリングに係る呼び出し情報のアドレスが設定手段であるＤＭＸ先頭チャネル情報設定スイッチ２６−１に設定されたＤＭＸ先頭チャネル情報と同一ＤＭＸ先頭チャネル情報がアドレスとされている場合に応答を返送するものである。
【００２２】
調光器モニタ装置３０には、制御部３１、受信処理部３２、送信処理部３３、送受信処理部３４、３５及び情報テーブル３６が備えられている。制御部３１は、調光信号（ＤＭＸ５１２）の中継制御、各調光装置２０−１〜２０−ｎに設けられている調光器から状態情報の収集、更に収集した状態情報について調光卓１０への送出を行うものである。なお、本処理に関しては、本発明と直接的な関係は少ないので、詳細なる説明を省略する。
【００２３】
受信処理部３２は、調光卓１０により送られてくる調光信号を受信して制御部３１へ渡すものであり、送信処理部３３は、制御部３１から送られる調光信号を受けて各調光装置２０−１〜２０−ｎへ送出するものである。送受信処理部３４は、制御部３１と調光卓１０との間において信号の送受信を行い、送受信処理部３５は、制御部３１と各調光装置２０−１〜２０−ｎとの間において信号の送受を行うものである。情報テーブル３６は、各調光装置２０−１〜２０−ｎに割り当てられたＤＭＸ先頭チャネル情報と共に当該調光装置に含まれる調光器の数情報が記憶されるもので、例えばＥＥＰＲＯＭなどにより構成される。
【００２４】
制御部３１は、例えば外部装置４０などにより外部から送られる各調光装置２０−１〜２０−ｎに割り当てられたＤＭＸ先頭チャネル情報と調光器の数情報を受けて、情報テーブル３６へ各調光装置に対応させてＤＭＸ先頭チャネル情報と調光器の数情報を記憶する記憶制御手段として機能するものである。
【００２５】
外部装置４０は、例えばパーソナルコンピュータにより構成され、プロセッサを備える制御部３１とインタフェースを介して接続される。オペレータは外部装置４０を操作して各調光装置２０−１〜２０−ｎに割り当てられたそれぞれのＤＭＸ先頭チャネル情報と調光器の数情報を入力すると共に、この入力した情報を調光器モニタ装置３０へ送出するコマンドを入力することになる。
【００２６】
以上のように構成された調光システムにあっては、システムの運用開始に際して上記外部装置４０を調光器モニタ装置３０に接続して、各調光装置２０−１〜２０−ｎにそれぞれ割り当てられたＤＭＸ先頭チャネル情報と調光器の数情報の入力及び調光器モニタ装置３０における情報テーブル３６への設定指示を上記コマンド入力により行う。これに応じて調光器モニタ装置３０では、制御部３１が情報テーブル３６へ各調光装置に対応させてＤＭＸ先頭チャネル情報と調光器の数情報を記憶する。
【００２７】
上記情報テーブル３６への情報設定と並行して或いは前後して、調光装置２０−１におけるＤＭＸ先頭チャネル情報設定スイッチ２６−１についての設定をはじめとして、各調光装置２０−１〜２０−ｎにおけるＤＭＸ先頭チャネル情報設定スイッチについての設定を行う。これにより、初期設定が完了し、調光卓１０を操作して各調光装置２０−１〜２０−ｎに含まれている所望の調光器に対し所望の調光制御を行う情報を入力することで、調光卓１０からは入力に応じた調光制御を指示する調光信号（ＤＭＸ５１２）が送出される。
【００２８】
上記調光信号（ＤＭＸ５１２）は、調光器モニタ装置３０の受信処理部３２により受け取られて制御部３１へ送られ、制御部３１は中継を行って送信処理部３３から各調光装置２０−１〜２０−ｎへと送出する。各調光装置２０−１〜２０−ｎでは、内部の各調光器においてＤＭＸ先頭チャネル情報設定スイッチに対応するチャネルを、ＤＭＸ５１２のフレームの開始からスタートビットとストップビットに挟まれたチャネルが幾つ到来したかをカウントして検出し、該当チャネルを取り込み、これ以降の自装置に含まれる調光器数に対応する数のチャネルを取り込んで調光器側へ通過させる。それぞれの調光器では上記制御部が通過させたチャネルの中から対応するチャネルの調光信号（ＤＭＸ信号）を取り込み、これに基づき照明負荷に対する調光制御を実行する。以上の調光制御システムでは、ＤＭＸ５１２により調光信号を構成したが、これに限らないことは勿論である。
【００２９】
図１に示した照明負荷５１−１〜５３−１等は、劇場、舞台、スタジオなどの照明システムにあっては、図２に示される照明機器５−１１〜５−１３、５−２１〜５−２３、５−３１〜５−３３、５−４１〜５−４３であり、それぞれ、天井などから吊される設置器具であるバトン１−１、１−２、１−３、１−４の所定位置に設置（コネクタにより電気的に、電源や調光信号のラインに接続）されている。なお、バトンの数及び各バトンに設置される照明機器の数は例示に過ぎない。
【００３０】
照明機器５−１１〜５−１３、５−２１〜５−２３、５−３１〜５−３３、５−４１〜５−４３には、情報記憶チップであるＲＦＩＤタグ３−１１〜３−１３、３−２１〜３−２３、３−３１〜３−３３、３−４１〜３−４３が付設されており、ＲＦＩＤタグ３−１１〜３−１３、３−２１〜３−２３、３−３１〜３−３３、３−４１〜３−４３には、例えば図３に示されるように、タグＩＤ（識別情報）に対応して、当該付設された照明機器の機種情報が少なくとも記憶され、更に、メーカー情報、納入年月日情報、故障履歴・修理履歴情報、レンズ種類情報、フィルタ種類情報等が必要な場合に記憶される。
【００３１】
ＲＦＩＤタグは、アンテナ部とメモリ部とを有し、図２に示すリーダ／ライタ４を用いて電磁波によりアンテナ部を介してメモリ部へ上記図３に示されるような情報を書き込み可能であり、メモリ部に書き込まれている情報をリーダ／ライタ４を用いて電磁波により読み出し可能なものである。ＲＦＩＤタグは、これに限定されるものではなく、記憶及び読出しを非接触形ですることができる情報記憶チップであれば、いかなる手段であっても良い。
【００３２】
リーダ／ライタ４の構成を図４に示す。リーダ／ライタ４は、ＣＰＵ４１が各部を制御するように構成されており、必要なデータ等を記憶するためのメモリ４２、情報を表示するための表示部４３、キーボードなどにより構成される操作部４４、更に電磁的にＲＦＩＤタグと結合して情報の書き込み及び読み出しを行うリード／ライト部４５が、ＣＰＵ４１に接続された構成を有している。照明機器を導入する場合に、リーダ／ライタ４を用いてこのシステムにおいて、或いは、リーダ／ライタ４と同等の装置を用いてメーカーの工場を出荷するときなどに、ＲＦＩＤタグへ図３に示す如くの情報が書き込まれ、照明機器へ付設される。書き込まれるタグＩＤはこのシステムにおいて唯一のものであり、廃棄された照明機器に付設されていたＲＦＩＤタグのタグＩＤと同一であることがないように管理される。照明機器の故障や修理がなされた場合には、その日時や内容（ランプの寿命、レンズ破損など）また次回の交換予定日時等がリーダ／ライタ４を用いて該当する照明機器に付設されたＲＦＩＤタグに書き込まれる。
【００３３】
各バトン１−１〜１−４には、情報記憶チップから情報を読み出す読出装置であるＲＦＩＤ読取装置２−１〜２−４が設けられている。ＲＦＩＤ読取装置２−１〜２−４は、バトン１−１〜１−４に設けられた照明機器に付設されているＲＦＩＤタグから図３に示されるような記憶された情報を読み出すものであるが、その際に、例えば電波強度を変えた読み出しにより、或いは、読み出しの際における到着時間差に応じて、読み出した情報に対応するＲＦＩＤタグが付設された照明機器の位置情報（設置器具であるバトンにおける照明機器の位置情報）を得ることができる。即ち、距離が近いポートからＰ１、Ｐ２、Ｐ３・・とすると、いずれのポートに設置された照明機器に関する情報が得られているかを、ＲＦＩＤ読取装置２−１〜２−４が検出可能である。情報記憶チップから情報を読み出す読出装置は、必ずしもＲＦＩＤ読取装置に限らず、ＲＦＩＤタグが記憶及び読出しを非接触形ですることができる情報記憶チップであればいかなる手段であっても良いことに対応して、赤外線等を用いて非接触形で情報の読み出しを行うものであれば良い。
【００３４】
図５には、ＲＦＩＤ読取装置２（２−１〜２−４）の構成図が示されている。ＲＦＩＤ読取装置２は、制御部２０１が各部を制御する構成を有しており、制御部２０１には、読取部２０２と通信部２０３とが接続されている。読取部２０２は、リーダ／ライタ４のリード／ライト部４５の機能のうち、電磁的にＲＦＩＤタグと結合して情報の書き込み及び読み出しを行う機能を実現するものである。通信部２０３は、ＬＡＮなどのネットワーク６の回線に接続され、調光卓１０との間で情報の送受信を行うものである。
【００３５】
調光卓１０の構成を図６に示す。この調光卓１０は、ＣＰＵ１０１が各部を制御するように構成されており、必要なプログラムやデータ等が記憶されるメモリ１０２、情報を表示するための表示部１０３、キーボードやマウスなどにより構成される操作部１０４、更にＬＡＮなどのネットワーク６の回線に接続され、ＲＦＩＤ読取装置２−１〜２−４との間で情報の送受信を行う通信制御部１０５が具備されているものである。
【００３６】
図２に示される如く調光卓１０には、図６の表示部１０３を意味し、情報を表示するための表示手段６１が備えられている。調光卓１０には表示部１０３以外に、表示制御手段６２、現状情報取得手段６３、照明シーン情報記憶手段６４、比較手段６５、故障・修理履歴情報記憶手段６６及び設置履歴情報記憶手段６７が備えられている。
【００３７】
現状情報取得手段６３は、ＲＦＩＤ読出装置２−１〜２−４により読出された情報に基づき、設置器具であるバトン１−１〜１−４毎に設置されている照明機器の機種情報及び設置器具であるバトン１−１〜１−４における照明機器の位置情報とを取得するものである。即ち、現状情報取得手段６３は、ＲＦＩＤ読出装置２−１〜２−４からＲＦＩＤタグに記憶されていた図３に示すような情報と、当該情報がどのバトンにおけるいずれのポートのものであるかを示す位置情報、更には、送り元のＲＦＩＤ読出装置のアドレスを取得する。表示制御手段６２は、後に説明する「システム表示」等の処理動作において、上記現状情報取得手段６３により取得された情報に基づき、照明機器の機種情報及びその位置を設置器具に対応付けたレイアウト表示を表示手段６１に行うものである。
【００３８】
照明シーン情報記憶手段６４は、各設置器具について、いずれの機種からなる照明機器がいずれの位置に設置されているかにより構成される照明シーン情報が、照明シーンの識別情報(後に説明する演目名)に対応付けられて記憶されたものである。表示制御手段６２は、後に説明する「演目表示」の処理動作において、照明シーンの識別情報に基づき照明シーン情報記憶手段６４から読み出される照明シーン情報に基づき、照明機器の機種情報及びその位置を設置器具に対応付けたレイアウト表示を表示手段６１に行うものである。
【００３９】
比較手段６５は、後に説明する「演目表示」の処理動作において、現状情報取得手段６３により取得される設置器具毎に設置されている照明機器の機種情報及び設置器具における照明機器の位置情報と、照明シーンの識別情報に基づき照明シーン情報記憶手段６４から読み出される照明シーン情報とを比較して相違を求めるものである。表示制御手段６２は、後に説明する「演目表示」の処理動作において、比較手段６５により求められた相違に基づき、設置器具毎の該当位置に相違を示す表示を表示手段６１に行うものである。
【００４０】
故障・修理履歴情報記憶手段６６は、照明機器に付設された情報記憶チップの識別情報に対応して、当該照明機器の故障・修理履歴情報が記憶されているものである。表示制御手段６２は、後に説明する「システム表示」の処理動作において、表示手段６１に表示された照明機器を指示する入力に応じて、当該照明機器に対応する識別情報に基づき故障・修理履歴情報記憶手段６６から故障・修理履歴情報を読み出し、表示を表示手段６１に行うものである。
【００４１】
設置履歴情報記憶手段６７は、各設置器具における照明機器が設置され各位置について設置された照明機器に係る設置履歴情報が、照明機器に付設された情報記憶チップの識別情報に対応して記憶されているものである。表示制御手段６２は、後に説明する「履歴表示」の処理動作において、表示手段６１に表示された照明機器の設置位置を指示する入力に応じて、当該照明機器に対応する識別情報に基づき設置履歴情報記憶手段６７から設置履歴情報を読み出し、表示を表示手段６１に行うものである。
【００４２】
本実施例に係る照明システムでは、以上において述べた「システム表示」、「演目表示」、「履歴表示」の処理動作及び「調光制御」の処理動作を行うものである。このためにシステムの電源投入の後に、表示制御手段６２は、図７に示すフローチャートに対応した動作を行う。即ち、図８に示す「調光制御」、「システム表示」、「演目表示」及び「履歴表示」のメニューを表示し（Ｓ１）、マウスによるいずれかのメニューの選択がなされることを監視している（Ｓ２）。ステップＳ２において、上記図８に示すメニューのいずれかが選択されると、選択されたメニューの処理へジャンプする。
【００４３】
現状情報取得手段６３によるＲＦＩＤタグに記憶された情報（図３に示す情報）の収集に対応して、調光卓１０のメモリ部１０２には、図９に示されるようなタグ情報ＤＢ（データベース）が備えられている。このタグ情報ＤＢは、タグＩＤを格納するエリアと、これに対応する情報を記憶するための情報エリアを一対としており、新たなタグＩＤが収集された場合に上記タグ情報ＤＢへの登録が行われ、照明機器の廃棄等が行われた場合には調光卓１０からの入力に応じてＣＰＵ１０１によって該当タグＩＤを格納するエリアの情報と、これに対応する情報を記憶するための情報エリアの情報が削除される。
【００４４】
上記タグ情報ＤＢの各タグＩＤを格納するエリアに対応する情報エリアには、ＲＦＩＤタグに記憶された故障と修理の履歴情報が収集されて記憶される。このため、上記タグ情報ＤＢは、照明機器に付設された情報記憶チップ（ＲＦＩＤタグ）の識別情報（タグＩＤ）に対応して、当該照明機器の故障・修理履歴情報が記憶されている故障・修理履歴情報記憶手段６６を構成する。
【００４５】
また、現状情報取得手段６３によるＲＦＩＤタグに記憶された情報（図３に示す情報）の収集に対応して設置履歴情報記憶手段６７の情報を記憶するため、調光卓１０のメモリ部１０２には、図１０に示されるようなバトンＩＤ（識別情報）毎の記憶エリア(ページ)を有する情報管理部が備えられている。この図１０に示されている情報管理部においては、バトンＩＤが「＃０１」と「＃０２」の記憶エリアのみを示しているが、当該照明システムに存在するバトン数に対応して記憶エリアが設けられている。
【００４６】
バトンＩＤ毎の記憶エリアには、図１０においてバトンＩＤが「＃０１」のものについて示されているように、最新情報ＤＢと前回情報ＤＢと設置履歴情報ＤＢとが設けられている。最新情報ＤＢと前回情報ＤＢとは共に、照明機器を設置（接続）するポート番号（識別情報）に対応して、ＲＦＩＤタグに記憶されていたタグＩＤを収集して記憶するように構成されている。最新情報ＤＢと前回情報ＤＢとは、その機能を情報収集の毎に交換する。即ち、図１０の例では、上側が最新情報ＤＢとなっており下側が前回情報ＤＢとなっているが、次回の情報収集がなされると下側が最新情報ＤＢとなり新たに収集されたタグＩＤが書き込まれるが、上側は前回情報ＤＢとなってタグＩＤの書き込みはなされない。更に次回の情報収集により上側が最新情報ＤＢとなり下側が前回情報ＤＢとなる。以下、情報収集毎に機能変換が繰り返される。
【００４７】
バトンＩＤ毎の記憶エリアに設けられている設置履歴情報ＤＢは、当該バトンのポート毎に設置された照明機器に付設されたＲＦＩＤタグのタグＩＤ（識別情報）がＳ以降のエリアに示される設置開始日時及びＥ以降のエリアに示される設置開始日時と共に記憶され、設置された照明機器に係る設置履歴情報となっている。
【００４８】
上記設置履歴情報ＤＢの情報については、図１０においてバトンＩＤが「＃０１」のものについて示されているので、これを説明する。調光卓１０におけるＣＰＵ１０１が、情報収集により最新情報ＤＢに情報を書き込むと、最新情報ＤＢと前回履歴ＤＢとの情報についてポート毎に比較を行い、相違する場合には、既に最新の履歴が記憶されているブロック（設置履歴情報ＤＢにおける各ポート対応に存在するブロックで、Ｅ以降のエリアに日時の書き込みがないブロック）のＥ以降のエリアに現在の収集日時を書き込み、最新情報ＤＢに記憶されているタグＩＤを新たな記憶ブロックに対し記憶すると共に現在の収集日時をＳ以降の記憶エリアに記憶する。
【００４９】
従って、システムの運用開始の場合には、前回履歴ＤＢに情報がないので、相違する場合に相当し、新たな記憶ブロックに最新情報ＤＢに記憶されているタグＩＤを記憶すると共に現在の収集日時をＳ以降の記憶エリアに記憶する。この状態が、図１０においてバトンＩＤが「＃０１」のものについて、ポートＮｏ．０１とポートＮｏ．０３とに示されている。この初期状態のときには、既に最新の履歴が記憶されているブロックは存在せず、Ｅ以降のエリアに現在の収集日時を書き込むことは行われない。
【００５０】
また、図１０においてバトンＩＤが「＃０１」のものについて示されているように、ある情報収集のときに、最新情報ＤＢと前回履歴ＤＢの情報が図示の通りになると、ＣＰＵ１０１はポートＮｏ．０２について情報が相違することを検出し、既に最新の履歴が記憶されているブロック（図１０では、ポートＮｏ．０２に対応しそのときＥ以降のエリアに日時の書き込みがないブロック）のＥ以降のエリアに現在の収集日時を書き込み、最新情報ＤＢに記憶されているタグＩＤを新たな記憶ブロックに対し記憶すると共に現在の収集日時をＳ以降の記憶エリアに記憶する。この状態が、図１０においてバトンＩＤが「＃０１」のものについて、ポートＮｏ．０２に示されている。
【００５１】
そして、図１０においてバトンＩＤが「＃０１」のものについて、ポートＮｏ．０２に示されているように、古い履歴情報のブロックが図１０では、下位となるように描いてある。各ブロックには、設置されていた照明機器に付設されたＲＦＩＤメモリのタグＩＤが記憶されているので、ＣＰＵ１０１は、このタグＩＤに基づき図９に示されているタグ情報ＤＢの該当タグＩＤをサーチし、これに対応している情報エリアを参照することにより設置されていた照明機器に関する履歴情報を得る。このように、図１０に示されている情報管理部と図９に示されているタグ情報ＤＢとによって、設置履歴情報記憶手段６７が構成されている。
【００５２】
照明システムでは、各演目やイベント毎に、各設置器具である各バトンについて、いずれの機種からなる照明機器がいずれの位置に設置されるか定まっていることに鑑み、各バトンについて、いずれの機種からなる照明機器がいずれの位置に設置されているかにより構成される照明シーン情報を管理する照明シーン情報記憶手段６４を備えている。照明シーン情報記憶手段６４の例として、照明シーンの識別情報を演目とし、これに照明シーン情報を対応付けて記憶した照明シーン情報ＤＢを図１１に示す。図１１（Ａ）は通常のものであり、照明シーンである演目名情報「ＡＢＣＤ」、「ＡＢＥＦ」、「ＡＢＧＨ」・・・毎に、各バトンのバトンＩＤ（識別情報）に、ポートＮｏ．に対応して当該ポートに設置（接続）される照明機器に付設されたＲＦＩＤタグのタグＩＤが記憶されている。
【００５３】
例えば、演目名が「ＡＢＣＤ」の場合には、バトンＩＤが＃Ｂ０１のバトンについては、ポートＮｏ．０１にはタグＩＤ「＃０００２」のＲＦＩＤタグが付設された照明機器が設置され、ポートＮｏ．０２にはタグＩＤ「＃００１１」のＲＦＩＤタグが付設された照明機器が設置され、ポートＮｏ．０３にはタグＩＤ「＃００３４」のＲＦＩＤタグが付設された照明機器が設置されていることを示している。
【００５４】
上記図１１（Ａ）は現状情報取得手段６３による情報収集に基づきバトンのポート対応にタグＩＤを記憶した通常のものであるのに対し、図１１（Ｂ）は例外的なエントリが行われているものである。即ち、この例では、演目名が「ＡＢＣＫ」の場合には、バトンＩＤが＃Ｂ０１のバトンについて、ポートＮｏ．０２にはタグＩＤではなく、照明機器の機種情報「Ｔ−２３」が記憶されており、当該ポートＮｏ．０２に機種情報「Ｔ−２３」の照明機器を設置すべきことを示している。このエントリは、演目「ＡＢＣＫ」に関しては実際に照明機器を設置してＲＦＩＤ読取装置２−１〜２−４により情報収集したものではなく、類似の照明シーン情報を有する演目の照明シーン情報を読み出し、調光卓１０において照明機器の機種を入力してデータベース化することができることを示している。
【００５５】
以上のように構成された照明システムにおいては、調光卓１０のＣＰＵ１０１が図１２に示されるフローチャートに対応するプログラムにより現状情報取得手段６３として、次の通りに動作する。情報収集のトリガとなるタイマ割り込みやオペレータによる指示入力等により情報の収集時となったかを監視しており（Ｓ１１）、情報の収集時となったことを検出すると、各ＲＦＩＤ読取装置２−１〜２−４から情報を収集し、図９に示したタグ情報ＤＢへ記憶（新規なものは空き欄へ、同一のタグＩＤのものは上書き記憶）する（Ｓ１２）。各ＲＦＩＤ読取装置２−１〜２−４から送られるアドレスによりバトンＩＤが特定でき、タグＩＤ等の送信順やポート情報を各ＲＦＩＤ読取装置２−１〜２−４から送るようにして、位置情報（ポートＮｏ．）が特定される。送られてきた情報は、図１０に示される該当バトンＩＤに対応する最新情報ＤＢに記憶され、図１０を用いて説明した如く、前回情報ＤＢのものと比較され、変化があれば設置履歴情報ＤＢへ記憶を行う（Ｓ１２）。このようにして、図９に示したタグ情報ＤＢと図１０に示される情報管理部へ情報が蓄積されてゆく。
【００５６】
上記の通り現状情報取得手段６３が動作を行い、調光卓１０の表示部１０３に図８に示される如くのメニュー表示が行われているときに、「調光制御」のメニューが選択されると、図１３に示されるフローチャートに対応するプログラムによるＣＰＵ１０１の動作が行われる。まず、各バトンＩＤに対応する記憶がなされている図１０の情報管理部を検索し、最新情報ＤＢから各バトンの各位置（各ポート）に設置された照明機器に付設されたＲＦＩＤタグのタグＩＤを求めて、これに対応する情報を図９のタグ情報ＤＢから取り出すことにより照明機器を求め（この例では、機種情報を求め）、バトンに対応付けて表示部１０３へレイアウト表示を行う（Ｓ２１：表示制御手段６２）。これにより、表示部１０３の画面には、図１５に示される如くレイアウト表示（平面図的な表示）が行われる。同１５図では、バトンがいずれも横方向に長く示されているが、実際の舞台等におけるレイアウトに応じて図の縦方向に長く表示されることもある。図１５のバトンＩＤ「＃Ｂ０３」においてポートＮｏ．２（Ｐ２）の照明機器に対応する情報が空欄となっているのは、照明機器の設置が行われていないことを示している。
【００５７】
上記のようなレイアウト表示を行っているときには、ＣＰＵ１０１は、画面の位置情報とタグＩＤ等を対応付ける図１４の如きテーブル（画面位置−ＩＤテーブル）を備えてマウス等による選択入力に備え、「戻る」の入力がなされたか（Ｓ２２）、調光入力がなされたか（Ｓ２３）を監視している。
【００５８】
画面左下隅の「戻る」の入力がなされると、図８に示されるニュー表示へ戻る。また、調光の入力を行うためには、照明機器の機種情報に対応する欄をクリックすると、ＣＰＵ１０１はこれを受け付けて、図１６に示すようにウインドウを開き、調光度の入力（図１６の例では５０）を可能とする。この調光度の入力及び「実行」の選択指示がなされると、この入力対応の調光制御情報を用いて、図１を用いて説明した処理により指示された照明機器の調光制御を実行する（Ｓ２４）。図１６に示すようにウインドウにて「取消」が選択されるとステップＳ２３からＮＯへ分岐する。
【００５９】
また、図８に示される如くのメニュー表示が行われているときに、「システム表示」のメニューが選択されると、図１７に示されるフローチャートに対応するプログラムによるＣＰＵ１０１の動作が行われることになる。まず、各バトンＩＤに対応する記憶がなされている図１０の情報管理部を検索し、最新情報ＤＢから各バトンの各位置（各ポート）に設置された照明機器に付設されたＲＦＩＤタグのタグＩＤを求めて、これに対応する情報を図９のタグ情報ＤＢから取り出すことにより照明機器を求め（この例では、機種情報を求め）、バトンに対応付けて表示部１０３へレイアウト表示を行う（Ｓ３１：表示制御手段６２）。
【００６０】
これにより、表示部１０３の画面には、図１８に示される如くレイアウト表示（平面図的な表示）が行われる。上記のようなレイアウト表示を行っているときには、ＣＰＵ１０１は、画面の位置情報とタグＩＤ等を対応付ける図１４の如きテーブル（画面位置−ＩＤテーブル）を備えてマウス等による選択入力に備え、「戻る」の入力がなされたか（Ｓ３２）、画面における照明機器欄のクリックがなされたか（Ｓ３３）を監視している。
【００６１】
画面左下隅の「戻る」の入力がなされると、図８に示されるニュー表示へ戻る。また、照明機器欄をクリックすると、ＣＰＵ１０１はこれを受け付けて、図１９に示すようにウインドウを開き、クリックされた欄対応のタグＩＤに基づき、タグ情報ＤＢ（図９）から上記タグＩＤ対応の情報エリアに記憶されている照明機器の情報を取り出し表示する（Ｓ３４：表示制御手段６２）。ウインドウに表示しきれない情報は、スクロールにより表示させることができる。このとき、タグ情報ＤＢ（図９）には、故障・修理履歴情報が記憶されており、これが表示されることになる。
【００６２】
ウインドウが表示された状態においては、画面左下隅の「戻る」の入力または画面におけるウインドウ部分以外のクリックにより可能な「リターン」操作の監視がなされ（Ｓ３５）、当該操作に応じてステップＳ３１へ戻ることになる。また、このシステム表示において、画面左隅の「戻る」に隣接する「演目表示」の入力が監視され（Ｓ３６）、当該操作に応じて演目表示の画面へジャンプすることになる。
【００６３】
また、図８に示される如くのメニュー表示が行われているときに、「演目表示」のメニューが選択されると、或いは、図１８と図１９に示した「システム表示」において「演目表示」が選択されると、図２０、図２１に示されるフローチャートに対応するプログラムによるＣＰＵ１０１の動作が行われることになる。図１１に示す照明シーン情報ＤＢの先頭演目情報エリアから各バトンの各位置（各ポート）に設置された照明機器に付設されたＲＦＩＤタグのタグＩＤを求めて、これに対応する情報を図９のタグ情報ＤＢから取り出すことにより照明機器を求め（この例では、機種情報を求め）、バトンに対応付けて表示部１０３へレイアウト表示を行う（Ｓ４１：表示制御手段６２）。このときに、図１０の情報管理部に記憶された現状の照明シーン情報との比較を行い（比較手段６５）、差分を求めて相違がある場合に特殊表示を行う（Ｓ４１）。
【００６４】
図２２の例は、図１１に示す照明シーン情報ＤＢの先頭演目情報エリアの情報が図１０の情報管理部に記憶された現状の照明シーン情報と一致した場合であり、係る場合には現状との相違を示す特殊表示されていない。上記のようなレイアウト表示を行っているときには、ＣＰＵ１０１は、画面の位置情報とタグＩＤ等を対応付けるテーブル（画面位置−ＩＤテーブル）を備えてマウス等による選択入力に備え、「戻る」の入力がなされたか（Ｓ４２）、画面における照明機器欄のクリックがなされたか（Ｓ４３）を監視している。
【００６５】
画面左下隅の「戻る」の入力がなされると、図８に示されるニュー表示へ戻る。また、照明機器欄をクリックすると、ＣＰＵ１０１はこれを受け付けて、図１９に示した場合と同様にウインドウを開き、クリックされた欄対応のタグＩＤに基づき、タグ情報ＤＢ（図９）から上記タグＩＤ対応の情報エリアに記憶されている照明機器の情報を取り出し表示する（Ｓ４４：表示制御手段６２）。ウインドウに表示しきれない情報は、スクロールにより表示させることができる。
【００６６】
ウインドウが表示された状態においては、画面左下隅の「戻る」の入力または画面のウインドウ部分以外のクリックにより可能な「リターン」操作の監視がなされ（Ｓ４５）、当該操作に応じてステップＳ４１へ戻ることになる。また、この演目表示においては、演目名欄（表示画面の右上部分）の左右に隣接して「前」と「後」のボタンが設けられており、照明シーン情報ＤＢの演目情報(シーン情報)エリア（ページ）の前後を選択可能とされ、このボタン操作入力が監視されている（Ｓ４６）。この「前」と「後」のボタンが操作されたことが検出されると、照明シーン情報ＤＢの現演目情報エリアに対し、選択された前または後の演目情報エリアにおける各バトンの各位置（各ポート）に設置された照明機器に付設されたＲＦＩＤタグのタグＩＤを求めて、これに対応する情報を図９のタグ情報ＤＢから取り出すことにより照明機器を求め（この例では、機種情報を求め）、バトンに対応付けて表示部１０３へレイアウト表示を行う（Ｓ４７：表示制御手段６２）。このときに、図１０の情報管理部に記憶された現状の照明シーン情報との比較を行い（比較手段６５）、差分を求めて相違がある場合に特殊表示を行う（Ｓ４７）。図２３の表示例では、バトンＩＤ「＃Ｂ０２」においてポートＮｏ．２（Ｐ２）の照明機器に対応する欄と、バトンＩＤ「＃Ｂ０４」においてポートＮｏ．３（Ｐ３）の照明機器に対応する欄とが色を変更された特殊表示とされている。特殊表示は、色変更以外に、反転表示やブリンク表示等がなされる。
【００６７】
この演目表示においては、画面左下隅の「戻る」欄に隣接して「変更」と「登録」のボタンが設けられており、現在表示されている画面の内容（照明シーン情報や演目名）を変更する場合には「変更」ボタンを操作し、表示されている画面の内容（照明シーン情報や演目名等の全て）を照明シーン情報ＤＢに登録する場合には「登録」ボタンを操作することができる構成となっている。そこで、ＣＰＵ１０１は「変更」と「登録」のボタンの操作入力を監視している（図２１のＳ４８、Ｓ５０、Ｓ５４）。
【００６８】
「変更」ボタン操作をＣＰＵ１０１が検出すると、表示画面の照明機器欄及び演目名欄への入力が許容される状態となり（Ｓ４９）、これに応じたキー操作により表示画面の照明機器欄または演目名欄への入力がなされるか等の入力検出が行われる（Ｓ５０）。このステップＳ５０における入力検出において、表示画面の照明機器欄または演目名欄への入力がなされると、これを反映させた画面へ表示変更し（Ｓ５１）、ステップＳ５０における監視へ戻る。
【００６９】
ステップＳ５０において、「登録」ボタン操作をＣＰＵ１０１が検出すると、演目名が同一の場合に上書き警告等を行い、ＯＫの入力がなされると、表示された照明シーン情報を照明シーン情報ＤＢの演目情報エリア（ページ）に登録する（Ｓ５２）。斯して、表示画面の照明機器欄へ照明機器の機種情報を入力し、或いは、演目名欄に新たな演目名を入力することにより、必要な照明シーン情報を照明シーン情報ＤＢの演目情報エリア（ページ）に登録可能である。
【００７０】
また、表示画面の照明機器欄及び演目名欄への入力が許容される状態において「戻る」ボタンの操作を検出すると、ＣＰＵ１０１は、表示画面の照明機器欄及び演目名欄への入力許容を解除し、現表示を維持し、ステップＳ４２へ戻る。これにより、演目名欄に新たな演目名を入力した場合にも、これを取消してステップＳ４２からメニューへ戻ることが可能である。また、特に表示画面の照明機器欄及び演目名欄への入力が許容される状態へ進むことなく登録を行うためや、同一内容の上書き登録を行う等のために、ステップＳ５４の登録監視がなされている。
【００７１】
図８に示される如くのメニュー表示が行われているときに、「履歴表示」のメニューが選択されると、図２４に示されるフローチャートに対応するプログラムによるＣＰＵ１０１の動作が行われることになる。まず、ＣＰＵ１０１は、各バトンＩＤに対応する記憶がなされている図１０の情報管理部を検索し、最新情報ＤＢから各バトンの各位置（各ポート）に設置された照明機器に付設されたＲＦＩＤタグのタグＩＤを求めて、これに対応する情報を図９のタグ情報ＤＢから取り出すことにより照明機器を求め（この例では、機種情報を求め）、バトンに対応付けて表示部１０３へレイアウト表示を行う（Ｓ６１：表示制御手段６２）。
【００７２】
これにより、表示部１０３の画面には、図２５に示される如くレイアウト表示（平面図的な表示）が行われる。上記のようなレイアウト表示を行っているときには、ＣＰＵ１０１は、画面の位置情報とタグＩＤ等を対応付ける図１４の如きテーブル（画面位置−ＩＤテーブル）を備えてマウス等による選択入力に備え、「戻る」の入力がなされたか（Ｓ６２）、画面における照明機器欄のクリックがなされたか（Ｓ６３）を監視している。
【００７３】
画面左下隅の「戻る」の入力がなされると、図８に示されるニュー表示へ戻る。また、照明機器欄をクリックすると、ＣＰＵ１０１はこれを受け付けて、図２６に示すようにウインドウを開き、クリックされた欄対応のバトンＩＤとポート情報（ポートＮｏ．）に基づき、図１０に示した情報管理部におけるバトンＩＤに対応する設置履歴情報ＤＢから上記ポート情報（ポートＮｏ．）対応のエリアに記憶されているタグＩＤを取り出し、これに対応する情報を図９のタグ情報ＤＢから取り出すことにより照明機器を求め、機器情報とその使用開始日時や使用終了日時を表示する（Ｓ６４：表示制御手段６２）。ウインドウに表示しきれない情報は、スクロールにより表示させることができる。
【００７４】
上記の履歴表示にあっては、クリックされた欄対応のバトンとバトンにおける位置（ポート）に設置された照明機器について機種情報の履歴が表示されるので、特に取り換えの多いポートを特定し,或いは、使用時間が長い照明機器の機種を知るなどして、メンテナンスや今後の機器導入計画を適切に立案する補助とすることができる。ウインドウが表示された状態においては、画面左下隅の「戻る」の入力または画面のウインドウ部分以外のクリックにより可能な「リターン」操作の監視がなされ（Ｓ６５）、当該操作に応じてステップＳ３１へ戻ることになる。
【００７５】
なお、以上の説明では、メニュー画面をホームとして各情報を選択して表示させるものを示しているが、これによらず、一覧表示の指示入力が可能となっており、この一覧表示の指示入力がなされると上記メニューにより選択されていた各情報が一覧表示され、必要な情報を選択可能となる。このため、まず一覧表示させ所要の情報を見た上で選択する場合などに便利な進行が図られる構成も採用されている。
【図面の簡単な説明】
【００７６】
【図１】本発明に係る照明システムに採用した調光システムの実施例に係る構成図。
【図２】本発明に係る照明システムの実施例に係る構成図。
【図３】本発明に係る照明システムに採用したＲＦＩＤタグに記憶される情報の一例を示す図。
【図４】本発明に係る照明システムに採用したリーダ／ライタの構成図。
【図５】本発明に係る照明システムに採用したＲＦＩＤ読取装置の構成図。
【図６】本発明に係る照明システムに採用した調光卓の構成図。
【図７】本発明に係る照明システムにおけるメニュー表示処理を説明するフローチャート。
【図８】本発明に係る照明システムにおけるメニュー表示処理において表示されるメニュー画面の一例を示す図。
【図９】本発明に係る照明システムにおけるデータベースの一つであるタグ情報ＤＢの構成図。
【図１０】本発明に係る照明システムにおけるデータベースの一つである情報管理部の構成図。
【図１１】本発明に係る照明システムにおけるデータベースの一つであるシーン情報ＤＢの構成図。
【図１２】本発明に係る照明システムにおける情報収集動作を説明するフローチャート。
【図１３】本発明に係る照明システムにおける調光制御動作を説明するフローチャート。
【図１４】本発明に係る照明システムに表示される画面の位置情報とＩＤ等の対応関係の一例を示す図。
【図１５】本発明に係る照明システムにおける調光制御動作において表示される画面の一例を示す図。
【図１６】本発明に係る照明システムにおける調光制御動作において表示される画面の一例を示す図。
【図１７】本発明に係る照明システムにおける調光制御動作を説明するフローチャート。
【図１８】本発明に係る照明システムにおけるシステム表示動作において表示される画面の一例を示す図。
【図１９】本発明に係る照明システムにおけるシステム表示動作において表示される画面の一例を示す図。
【図２０】本発明に係る照明システムにおける調光制御動作を説明するフローチャート。
【図２１】本発明に係る照明システムにおける調光制御動作を説明するフローチャート。
【図２２】本発明に係る照明システムにおける演目表示動作において表示される画面の一例を示す図。
【図２３】本発明に係る照明システムにおける演目表示動作において表示される画面の一例を示す図。
【図２４】本発明に係る照明システムにおける調光制御動作を説明するフローチャート。
【図２５】本発明に係る照明システムにおける履歴表示動作において表示される画面の一例を示す図。
【図２６】本発明に係る照明システムにおける履歴表示動作において表示される画面の一例を示す図。
【符号の説明】
【００７７】
１−１〜１−４  バトン
２−１〜２−４  ＲＦＩＤ読取装置
３−１１〜３−１３、３−２１〜３−２３、３−３１〜３−３３、３−４１〜３−４３  ＲＦＩＤタグ
４  リーダ／ライタ
５−１１〜５−１３、５−２１〜５−２３、５−３１〜５−３３、５−４１〜５−４３  照明機器
６  ネットワーク
６１  表示手段
６２  表示制御手段
６３  現状情報取得手段
６４  照明シーン情報記憶手段
６５  比較手段
６６  故障・修理履歴情報記憶手段
６７  設置履歴情報記憶手段
【図１】
2007066585.tif 000003
【図２】
2007066585.tif 000004
【図３】
2007066585.tif 000005
【図４】
2007066585.tif 000006
【図５】
2007066585.tif 000007
【図６】
2007066585.tif 000008
【図７】
2007066585.tif 000009
【図８】
2007066585.tif 000010
【図９】
2007066585.tif 000011
【図１０】
2007066585.tif 000012
【図１１】
2007066585.tif 000013
【図１２】
2007066585.tif 000014
【図１３】
2007066585.tif 000015
【図１４】
2007066585.tif 000016
【図１５】
2007066585.tif 000017
【図１６】
2007066585.tif 000018
【図１７】
2007066585.tif 000019
【図１８】
2007066585.tif 000020
【図１９】
2007066585.tif 000021
【図２０】
2007066585.tif 000022
【図２１】
2007066585.tif 000023
【図２２】
2007066585.tif 000024
【図２４】
2007066585.tif 000025
【図２５】
2007066585.tif 000026
【図２６】
2007066585.tif 000027
【図２３】
2007066585.tif 000028